(57)【要約】【課題】ユーザによる入力操作無しで、現材のチャンネルの次番組情報を画面に表示するようにして、ユーザの利便性を向上させた放送受信装置および放送表示方法を提供する。【解決手段】本発明の放送受信装置１００−１は、複数のチャンネルを有する放送信号を受信する受信部１２０と、受信部１２０において受信される複数のチャンネルを切り換えて所定のチャンネルを選択するチャンネル切換手段に対応する操作部１６０と、チャンネル、番組放送時間、番組名および番組内容説明を含む番組関連情報を取得する情報取得手段に対応する番組表解析部１７０および記憶部１５０と、前記番組関連情報と現在時刻とに基づき、受信部１２０により受信中のチャンネルで次に放送される番組の開始時刻が近付いたことを判断して、当該次に放送される番組の情報を表示するよう表示部への出力を制御する制御部２１０とを具備して成る。【選択図】図１
2008178026.tif 000002
【特許請求の範囲】
【請求項１】
複数のチャンネルを有する放送信号を受信する受信手段と、
前記受信手段において受信される複数のチャンネルを切り換えて所定のチャンネルを選択するチャンネル切換手段と、
チャンネル、番組放送時間、番組名および番組内容説明を含む番組関連情報を取得する情報取得手段と、
前記番組関連情報と現在時刻とに基づき、前記受信手段により受信中のチャンネルで次に放送される番組の開始時刻が近付いたことを判断して、当該次に放送される番組の情報を表示するよう表示部への出力を制御する制御手段と、
を具備して成ることを特徴とする放送受信装置。
【請求項２】
前記次に放送される番組の情報は、少なくとも番組名を含むことを特徴とする請求項１に記載の放送受信装置。
【請求項３】
前記制御手段は、前記受信手段により受信中のチャンネルで次に放送される番組の開始時刻が近付いたことを判断した場合には、該次に放送される番組の開始時刻に、他のチャンネルで放送中の番組の情報をさらに表示するよう表示部への出力を制御することを特徴とする請求項１または２に記載の放送受信装置。
【請求項４】
前記制御手段は、前記次に放送される番組の開始時刻に、他のチャンネルで放送が開始される番組の情報のみを表示するよう表示部への出力を制御することを特徴とする請求項３に記載の放送受信装置。
【請求項５】
前記表示部に対するユーザ入力に基づき、該表示部に表示されている番組の情報の何れか１つを選択する情報選択手段をさらに有し、
前記チャンネル切換手段は、前記受信手段により受信するチャンネルを、前記情報選択手段により選択された情報に対応するチャンネルに切り換えることを特徴とする請求項１または２に記載の放送受信装置。
【請求項６】
複数のチャンネルを有する放送信号を受信手段によって受信し、
前記受信手段において受信される複数のチャンネルを切り換えて所定のチャンネルを選択し、
チャンネル、番組放送時間、番組名および番組内容説明を含む番組関連情報を取得し、
前記番組関連情報と現在時刻とに基づき、前記受信手段により受信中のチャンネルで次に放送される番組の開始時刻が近付いたことを判断して、当該次に放送される番組の情報を表示するよう表示部への出力を制御することを特徴とする放送表示方法。
【請求項７】
前記次に放送される番組の情報は、少なくとも番組名を含むことを特徴とする請求項６に記載の放送表示方法。
【請求項８】
前記受信手段により受信中のチャンネルで次に放送される番組の開始時刻が近付いたことを判断した場合には、該次に放送される番組の開始時刻に、他のチャンネルで放送中の番組の情報をさらに表示するよう表示部への出力を制御することを特徴とする請求項６または７に記載の放送表示方法。
【請求項９】
前記次に放送される番組の開始時刻に、他のチャンネルで放送が開始される番組の情報のみを表示するよう表示部への出力を制御することを特徴とする請求項８に記載の放送表示方法。
【請求項１０】
前記表示部に対するユーザ入力に基づき、前記次に放送される番組の情報の何れか１つを選択し、
前記受信手段により受信するチャンネルを、前記情報選択手段により選択された情報に対応するチャンネルに切り換えることを特徴とする請求項６または７に記載の放送表示方法。
【発明の詳細な説明】
【技術分野】
【０００１】
本発明は、放送受信装置の画面上に、受信中のチャンネルで次に放送される番組の情報を表示する放送受信装置および放送表示方法に関するものである。
【背景技術】
【０００２】
近年、地上デジタル放送（以下、地デジという）やハイビジョン放送に対応した放送受信装置の普及に伴い、電子番組表(Electronic Program Guide；ＥＰＧ)の受信機能を備えた放送受信装置も増加している。そのような電子番組表(ＥＰＧ)の受信機能を備えた放送受信装置では、ユーザ入力（例えばリモコン送信機からの選択入力）に応じて画面上に番組表の一部を切り出して表示することによって、現在視聴中の番組の番組名や番組放送時間等の情報を表示することができる（例えば特許文献１および特許文献２を参照）。
【０００３】
【特許文献１】特開平６−１５３１０９号公報
【特許文献２】特開平１１−２６６４０８号公報
【発明の開示】
【発明が解決しようとする課題】
【０００４】
例えば、地デジの視聴中に番組表を見る場合には、図８（ａ）に示すテレビ（ＴＶ）画面から図８（ｂ）に示す番組表画面に画面を切り換える必要があり、ＴＶ画面を継続して視聴することができない。図９に示すように、ＴＶ画面に番組表から取得した番組名を重ねて表示することもできるが、その場合には、当該チャンネルにおいて現在放送中（現在視聴中）の番組の番組名だけが表示されるため、次に放送される番組がどのような番組であるかを知ることができない。通常、ＴＶ放送においては次番組の開始時刻までを現番組とするため、例えば１０：００から次番組が始まるチャンネルの９：５８の画面を示す図１０（ｂ）のように、現番組の番組本編が終了して次番組までのＣＭ放送中である場合であっても、その時間帯に放送される現番組の番組情報（現番組名）が表示されてしまう。また、上記特許文献１および上記特許文献２に記載の放送受信装置は、例えば図１０（ｂ）に示すような次番組開始２分前のコマーシャル（ＣＭ）中に次番組を確認するためには、図１０（ａ）に示すような番組表画面（ＥＰＧ画面）に切り換えることにより番組表を表示してユーザ（視聴者）に確認させることができるが、番組表の表示には別途ユーザによる操作が必要であり、また、視聴中の番組の表示が途切れたりＴＶ画面が番組表に占拠されたりして、快適な環境で番組を視聴し続けることができなくなってしまう。
【０００５】
本発明は、ユーザによる入力操作を必要とすることなく、受信中のチャンネルで次に放送される番組の情報を画面に表示する機能を付与することにより、ユーザの利便性を向上させた放送受信装置を提供することを第１の目的とする。
本発明は、ユーザによる入力操作を必要とすることなく、受信中のチャンネルで次に放送される番組の情報を画面に表示することにより、ユーザの利便性を向上させた放送表示方法を提供することを第２の目的とする。
【課題を解決するための手段】
【０００６】
上記第１の目的を達成するため、請求項１に係る放送受信装置は、複数のチャンネルを有する放送信号を受信する受信手段と、前記受信手段において受信される複数のチャンネルを切り換えて所定のチャンネルを選択するチャンネル切換手段と、チャンネル、番組放送時間、番組名および番組内容説明を含む番組関連情報を取得する情報取得手段と、前記番組関連情報と現在時刻とに基づき、前記受信手段により受信中のチャンネルで次に放送される番組の開始時刻が近付いたことを判断して、当該次に放送される番組の情報を表示するよう表示部への出力を制御する制御手段と、を具備して成ることを特徴とする。
【０００７】
前記次に放送される番組の情報は、少なくとも番組名を含むことが、ユーザの利便性を向上させた放送受信装置を提供する上で好ましい。
【０００８】
前記制御手段は、前記受信手段により受信中のチャンネルで次に放送される番組の開始時刻が近付いたことを判断した場合には、該次に放送される番組の開始時刻に、他のチャンネルで放送中の番組の情報をさらに表示するよう表示部への出力を制御することが、ユーザの利便性を向上させた放送受信装置を提供する上で好ましい。
【０００９】
前記制御手段は、前記次に放送される番組の開始時刻に、他のチャンネルで放送が開始される番組の情報のみを表示するよう表示部への出力を制御することが、ユーザの利便性を向上させた放送受信装置を提供する上で好ましい。
【００１０】
前記表示部に対するユーザ入力に基づき、該表示部に表示されている番組の情報の何れか１つを選択する情報選択手段をさらに有し、前記チャンネル切換手段は、前記受信手段により受信するチャンネルを、前記情報選択手段により選択された情報に対応するチャンネルに切り換えることが、ユーザの利便性を向上させた放送受信装置を提供する上で好ましい。
【００１１】
上記第２の目的を達成するため、請求項６に係る放送表示方法は、複数のチャンネルを有する放送信号を受信手段によって受信し、前記受信手段において受信される複数のチャンネルを切り換えて所定のチャンネルを選択し、チャンネル、番組放送時間、番組名および番組内容説明を含む番組関連情報を取得し、前記番組関連情報と現在時刻とに基づき、前記受信手段により受信中のチャンネルで次に放送される番組の開始時刻が近付いたことを判断して、当該次に放送される番組の情報を表示するよう表示部への出力を制御することを特徴とする。
【００１２】
前記次に放送される番組の情報は、少なくとも番組名を含むことが、ユーザの利便性を向上させた放送表示方法を提供する上で好ましい。
【００１３】
前記受信手段により受信中のチャンネルで次に放送される番組の開始時刻が近付いたことを判断した場合には、該次に放送される番組の開始時刻に、他のチャンネルで放送中の番組の情報をさらに表示するよう表示部への出力を制御することが、ユーザの利便性を向上させた放送表示方法を提供する上で好ましい。
【００１４】
前記次に放送される番組の開始時刻に、他のチャンネルで放送が開始される番組の情報のみを表示するよう表示部への出力を制御することが、ユーザの利便性を向上させた放送表示方法を提供する上で好ましい。
【００１５】
前記表示部に対するユーザ入力に基づき、前記次に放送される番組の情報の何れか１つを選択し、前記受信手段により受信するチャンネルを、前記情報選択手段により選択された情報に対応するチャンネルに切り換えることが、ユーザの利便性を向上させた放送表示方法を提供する上で好ましい。
【発明の効果】
【００１６】
本発明によれば、放送開始時刻が近付いたときに受信中のチャンネルで次に放送される番組の情報を画面に表示するので、ユーザの利便性を向上させた放送受信装置および放送表示方法を提供することができる。
【発明を実施するための最良の形態】
【００１７】
以下、本発明を実施するための最良の形態を図面に基づき詳細に説明する。図１は本発明の第１実施形態の放送受信装置の第１の構成を示すブロック図であり、図２は本発明の第１実施形態の放送受信装置の第２の構成を示すブロック図である。
【００１８】
図１に示す放送受信装置１００−１は、受信部と表示部とが分離された構成（分離型）となっており、地デジチューナ装置や地デジ受信機能を搭載した録画装置が該当する。この放送受信装置１００−１は、アンテナ１１０と、アンテナ１１０経由で複数のチャンネルを有する放送信号を受信する受信部１２０と、受信した放送信号に基づき映像解析を行う映像解析部１３０と、受信した放送信号に基づき音声解析を行う音声解析部１４０と、受信した放送信号やデータ等を記憶する記憶部１５０と、ユーザ（視聴者）が地デジ放送等を視聴する際の各種操作に伴う入力情報を処理する操作部１６０と、受信した放送信号に基づき番組表解析を行う番組表解析部１７０と、予約録画等の時間管理を行う時間管理部１８０と、視聴する番組の映像信号を出力する映像出力部１９０と、視聴する番組の音声信号を出力する音声出力部２００と、受信部１２０、映像解析部１３０、音声解析部１４０、記憶部１５０、操作部１６０、番組表解析部１７０、時間管理部１８０、映像出力部１９０および音声出力部２００の動作を制御する制御部２１０とを具備して成る。なお、受信部１２０を複数個搭載する構成としてもよい。
【００１９】
図２に示す放送受信装置１００−２は、受信部と表示部とが一体化された構成（一体型）となっており、ワンセグメント放送（以下、ワンセグという）の受信機能を有する各種携帯端末（ワンセグ対応携帯電話機、ワンセグ対応ＰＤＡ等）が該当する。この放送受信装置１００−２は、アンテナ１１０と、アンテナ１１０経由で複数のチャンネルを有する放送信号を受信する受信部１２０と、受信した放送信号に基づき映像解析を行う映像解析部１３０と、受信した放送信号に基づき音声解析を行う音声解析部１４０と、受信した放送信号やデータ等を記憶する記憶部１５０と、ユーザ（視聴者）が地デジ放送等を視聴する際の各種操作に伴う入力情報を処理する操作部１６０と、受信した放送信号に基づき番組表解析を行う番組表解析部１７０と、予約録画等の時間管理を行う時間管理部１８０と、視聴する番組の映像表示を行う表示部１９５と、視聴する番組の音声信号を音声に変換するスピーカ２０５と、受信部１２０、映像解析部１３０、音声解析部１４０、記憶部１５０、操作部１６０、番組表解析部１７０、時間管理部１８０、表示部１９５およびスピーカ２０５の動作を制御する制御部２１０とを具備して成る。なお、受信部１２０を複数個搭載する構成としてもよい。
以下、放送受信装置１００−１および放送受信装置１００−２を包含して、放送受信装置１００として説明する。
【００２０】
次に、本実施形態の放送受信装置における情報表示制御を図３のフローチャートに基づいて説明する。
【００２１】
図３は第１実施形態の放送受信装置１００において実施される情報表示制御を例示するフローチャートである。まず、図３のステップＳ１１では、視聴中のチャンネルで現在放送中の番組（現番組）の次に放送される番組（次番組）の放送開始まで第１閾値時間以内になったか否かを判断し、第１閾値時間以内になるまでは自己ループを繰り返し、第１閾値時間以内になったら、ステップＳ１２に進んで番組名等を含む次番組情報を取得する。上記第１閾値時間は、番組本編の終了後のコマーシャル（ＣＭ）放送中に対応する時間、例えば３分に設定する。次番組情報を取得する手法としては、受信した放送信号に含まれている番組関連情報（例えば電子番組表（ＥＰＧ）等）から次番組情報を取得する手法や、インターネット経由で次番組情報を取得する手法を用いる。また、放送信号またはインターネットより定期的に取得し、記憶部１５０に記憶された電子番組表から次番組情報を取得してもよい。次のステップＳ１３では、当該チャンネルの次番組情報を放送受信装置の内部または外部の表示部に表示する。
【００２２】
次のステップＳ１４では、次番組の放送開始まで第２閾値時間以内になったか否かを判断し、第２閾値時間以内になるまでは自己ループを繰り返し、第２閾値時間以内になったらステップＳ１５に進む。上記第２閾値時間は、次番組の放送開始直前に対応する短い時間、例えば１分に設定する。ステップＳ１５では、視聴中のチャンネル以外のチャンネルで放送されている番組情報（以下、裏番組情報という）を放送受信装置の内部または外部の表示部に表示する。なお、視聴中のチャンネルの次番組開始時に他チャンネルで放送されている番組とは、その時刻をまたいで放送される番組であれば「他チャンネルで現在放送中の番組」であり、その時刻から新しい番組が始まるのであれば「他チャンネルで次に放送される番組」であり、基本的にその時刻に放送されている全ての番組情報が表示される。しかしながら、もちろん、例えばその時刻から新たに始まる「他チャンネルの番組」のみを表示するようにしてもよい。上記裏番組情報を表示する手法としては、後述するが、「ＴＶ画面内に裏番組情報を重ねて表示する表示方法」または「ＴＶ画面の所定位置（例えば上端部）に裏番組情報を１チャンネル分ずつスクロール表示する表示方法」の何れかを用いるものとする。
【００２３】
次のステップＳ１６では、次番組の放送開始時刻になったか否かを判断し、放送開始時刻になっていなければステップＳ１７に進み、放送開始時刻になったら、そのまま終了する。ステップＳ１７では、「決定」ボタンの押下の有無を判断し、「決定」ボタンの押下が無ければステップＳ１６に戻って裏番組情報の表示を継続し、「決定」ボタンの押下があった場合にはステップＳ１８に進む。ステップＳ１８では、上記ステップＳ１５における裏番組情報の表示が「ＴＶ画面の所定位置（例えば上端部）に裏番組情報を１チャンネル分ずつスクロール表示する表示方法」で行われた場合には、スクロール表示中のチャンネルへの切換を行う。また、上記ステップＳ１５における裏番組情報の表示が「ＴＶ画面内に裏番組情報を重ねて表示する表示方法」で行われた場合、表示された裏番組情報が１つであれば、ステップＳ１７の「決定」ボタン押下でその裏番組情報に対応するチャンネルへの切換を行い（ステップＳ１８）、表示された裏番組情報が複数であれば、ユーザによっていずれか１つが選択された後に「決定」ボタンが押下されると（ステップＳ１７）、対応するチャンネルへの切換を行う（ステップＳ１８）。なお、ユーザによる所望の裏番組情報の選択は、放送受信装置本体またはリモコンの「上下」キーの押下等により行うものとする。
【００２４】
次に、本実施形態の放送受信装置における情報表示制御の動作例を図面に基づいて説明する。
【００２５】
［動作例１；視聴中のチャンネルの次番組情報の表示］
図３のステップＳ１１のＹＥＳ−ステップＳ１２−ステップＳ１３を実行することにより、あるチャンネルの番組の視聴中に当該チャンネルの次番組の放送開始まで第１閾値時間以内になったとき、当該チャンネルの次番組情報を表示する。
例えば図４（ａ）に示すように、現在視聴中のＴＶ画面にはチャンネル１（ＣＨ１）の番組が表示されており、上記第１閾値時間が３分に設定されており、ＣＨ１の現番組情報（図示例の場合、「ＣＨ１  番組名：ニュース９」）がＴＶ画面の上部に表示されているときに、現在時刻が９：５７になったとき、ＣＨ１の現番組情報の下部に、当該チャンネルの次番組情報（図示例の場合、「次番組  １０：００−１１：００  ニュース１０」）が表示される。なお、ＴＶ画面に対する次番組情報表示の比率は、例えば図４（ｂ）に示すように、ＴＶ画面が見づらくならない程度のサイズになるようにする。
【００２６】
本実施形態の放送受信装置における情報表示制御の動作例１によれば、あるチャンネルの番組の視聴中に当該チャンネルの次番組の放送開始まで第１閾値時間以内になったときに当該チャンネルの次番組情報を画面に表示するので、視聴中のチャンネルで次に放送される番組の内容をユーザが視覚的に知ることができるようになり、ユーザの利便性を向上させた放送受信装置および放送表示方法を提供することができる。
【００２７】
［動作例２；次番組放送開始直前の裏番組情報の表示］
図３のステップＳ１１のＹＥＳ−ステップＳ１２−ステップＳ１３−ステップＳ１４のＹＥＳ−ステップＳ１５を実行することにより、あるチャンネルの番組の視聴中に当該チャンネルの次番組の放送開始まで第２閾値時間以内になったとき、当該チャンネルの次番組の放送開始時刻に当該チャンネル以外の他チャンネルで放送されている番組情報から成る裏番組情報を表示する。
例えば図５（ａ）に示すように、現在視聴中のＴＶ画面にはチャンネル１（ＣＨ１）の番組が表示されており、上記第２閾値時間が１分に設定されており、ＣＨ１の現番組情報（図示例の場合、「ＣＨ１  番組名：ニュース９」）がＴＶ画面の上部に表示されている場合、現在時刻が９：５８であるため、ＣＨ１の現番組情報の下部には当該チャンネルの次番組情報（図示例の場合、「次番組  １０：００−１１：００  ニュース１０」）が表示されている。この図５（ａ）の状態から時間が経過して現在時刻が次番組放送開始直前の９：５９になると、例えば図５（ｂ）に示すように、ＣＨ１の次番組情報（図示例の場合、「次番組  １０：００−１１：００  ニュース１０」）の下部に、ＣＨ１の次番組「ニュース１０」の放送開始時刻である１０：００に、チャンネル１以外のチャンネルで放送されている番組情報から成る裏番組情報（図示例の場合、「ＣＨ２  報道」、「ＣＨ３  ドラマ」および「ＣＨ４  アニメ」）が表示される。なお、ＴＶ画面に対する裏番組情報表示の比率は、例えば図５（ｃ）に示すように視聴の邪魔をしない程度のサイズになるようにするものとするが、ワンセグ対応携帯電話機のように視聴の邪魔をしない程度のサイズすることが困難な場合には、後述する動作例３のように裏番組情報を１チャンネル分ずつスクロール表示するようにする。
【００２８】
本実施形態の放送受信装置における情報表示制御の動作例２によれば、あるチャンネルの番組の視聴中に当該チャンネルの次番組の放送開始まで第２閾値時間以内になったときに当該チャンネルの次番組の放送開始時刻に当該チャンネル以外のチャンネルで放送されている番組情報から成る裏番組情報を画面に表示するので、視聴中のチャンネル以外のチャンネルで次に放送される番組の内容をユーザが視覚的に知ることができるようになり、ユーザの利便性を向上させた放送受信装置および放送表示方法を提供することができる。
【００２９】
［動作例３；動作例２の裏番組情報のスクロール表示］
図５（ｂ）に例示した動作例２の裏番組情報の表示を行う場合、放送受信装置１００が有する、もしくは、接続する表示部が大きければ図５（ｂ）のような視聴の邪魔をしない表示が可能であるが、例えばワンセグ対応携帯電話機のように表示領域が狭い場合は図５（ｂ）のような表示が困難であることを考慮して、裏番組情報を構成する他チャンネルの番組情報を１チャンネル分ずつスクロール表示する。
すなわち、ある放送受信装置１００において図５（ｂ）に示す裏番組情報の表示を実施しようとした場合に、例えば図６（ａ）に示すように裏番組情報の表示が視聴の邪魔になる程度のサイズになる場合には、図６（ｂ）に示すように、ＴＶ画面の所定位置（図示例では画面上部のＣＨ１の次番組情報の下部）に、裏番組情報を構成する他チャンネルの番組情報（図示例の場合、「ＣＨ２  報道」、・・）を１チャンネル分ずつスクロール表示する。上記スクロール表示は、「番組の情報を左方向に一定速度で連続的に移動させるスクロール表示」を用いても、「１チャンネル分の番組の情報を左方向に移動させて図示の表示位置で一定時間停止させて表示した後、次の１チャンネル分の番組の情報を左方向に移動させて図示の表示位置で一定時間停止させて表示させるスクロール表示」を用いてもよい。なお、図５（ｂ）の表示方法および図６（ｂ）の表示方法のどちらを用いるかは、「当該放送受信装置におけるＴＶ画面の表示領域に対する裏番組情報の表示領域の占有率」に基づいて決定すればよい。
【００３０】
本実施形態の放送受信装置における情報表示制御の動作例３によれば、あるチャンネルの番組の視聴中に当該チャンネルの次番組の放送開始まで第２閾値時間以内になったときに当該チャンネルの次番組の放送開始時刻に当該チャンネル以外のチャンネルで放送されている番組情報から成る裏番組情報を１チャンネル分ずつ画面にスクロール表示するので、視聴の邪魔になることなく裏番組情報をユーザが視覚的に知ることができるようになり、ユーザの利便性を向上させた放送受信装置および放送表示方法を提供することができる。
【００３１】
［動作例４；動作例３の裏番組情報のスクロール表示中のチャンネル切換］
図３のステップＳ１１のＹＥＳ−ステップＳ１２−ステップＳ１３−ステップＳ１４のＹＥＳ−ステップＳ１５−ステップＳ１６のＮＯ−ステップＳ１７のＹＥＳ−ステップＳ１８を実行することにより、動作例３の裏番組情報のスクロール表示中に「決定」ボタンが押下されたときに、当該裏番組情報に対応するチャンネルへの切換を行う。
例えば図７（ａ）に示すように、ＴＶ画面の所定位置（図示例では画面上部のＣＨ１の次番組情報の下部）に裏番組情報を構成する他チャンネルの番組情報（図示例の場合、「ＣＨ２  報道」、・・）を１チャンネル分ずつスクロール表示しているときに、ユーザにより「決定」ボタンの押下がなされた場合、表示されている裏番組情報に対応するチャンネルであるＣＨ２へチャンネルが切り換えられる。その際、例えば図７（ｂ）に示すように、ＣＨ２においても現在時刻が９：５９であって次番組「報道１０」の放送開示時刻まで第２閾値時間以内であるので、裏番組情報のスクロール表示（図示例の場合、「ＣＨ３  ドラマ」・・・）は継続される。
【００３２】
本実施形態の放送受信装置における情報表示制御の動作例４によれば、裏番組情報のスクロール表示中に第２閾値時間以内になされたユーザによる「決定」ボタンの押下に応じてスクロール表示中のチャンネルへのチャンネル切換が行われるので、ユーザの利便性を向上させた放送受信装置および放送表示方法を提供することができる。
なお、上記実施形態では、第１閾値時間と第２閾値時間とを設け、現在視聴中のチャンネルの次番組情報の表示のタイミングと、裏番組情報の表示のタイミングとを別にしたが、同一のタイミングでこれらを表示させてもよい。
【図面の簡単な説明】
【００３３】
【図１】本発明の第１実施形態の放送受信装置の第１の構成を示すブロック図である
【図２】本発明の第１実施形態の放送受信装置の第２の構成を示すブロック図である。
【図３】第１実施形態の放送受信装置における情報表示制御の一例を示すフローチャートである。
【図４】（ａ），（ｂ）は第１実施形態の放送受信装置における情報表示制御の動作例１を説明するための図である。
【図５】（ａ）〜（ｃ）は第１実施形態の放送受信装置における情報表示制御の動作例２を説明するための図である。
【図６】（ａ），（ｂ）は第１実施形態の放送受信装置における情報表示制御の動作例３を説明するための図である。
【図７】（ａ），（ｂ）は第１実施形態の放送受信装置における情報表示制御の動作例４を説明するための図である。
【図８】（ａ），（ｂ）は従来の放送受信装置における番組表の表示のための表示切換動作を説明するための図である。
【図９】従来の放送受信装置における番組名の表示状態を説明するための図である。
【図１０】（ａ），（ｂ）は従来の放送受信装置における番組表の表示のための表示切換動作を説明するための図である。
【符号の説明】
【００３４】
１００，１００−１，１００−２  放送受信装置
１１０  アンテナ
１２０  受信部
１３０  映像解析部
１４０  音声解析部
１５０  記憶部
１６０  操作部
１７０  番組表解析部
１８０  時間管理部
１９０  映像出力部
１９５  表示部  
２００  音声出力部
２０５  スピーカ
２１０  制御部
【図１】
2008178026.tif 000003
【図２】
2008178026.tif 000004
【図３】
2008178026.tif 000005
【図４】
2008178026.tif 000006
【図５】
2008178026.tif 000007
【図６】
2008178026.tif 000008
【図７】
2008178026.tif 000009
【図８】
2008178026.tif 000010
【図９】
2008178026.tif 000011
【図１０】
2008178026.tif 000012